(57)【特許請求の範囲】
【請求項１】
シャーシ上に複数の検出スイッチとカセットホルダを配置し、
上記カセットホルダにディスクカセットを挿入するカセット収納室を構成し、
上記カセット収納室の入り口であってかつ前記シャーシ側に、カセット挿入側に向かうに従って前記シャーシに近づくテーパ状に形成されたテーパ部を有するカセットガイド部を設けたディスクドライブ装置であって、
上記複数の検出スイッチのうち最もカセット挿入側の検出スイッチは、上記テーパ部の下方に位置するように配置されており、
上記カセットガイド部は、上記複数の検出スイッチの侵入を許容する孔を有し、この孔の少なくとも前記テーパ部に対応する部分は前記ディスクカセットの角部が侵入できない幅となされていることを特徴とするディスクドライブ装置。
【発明の詳細な説明】
【技術分野】
【０００１】
本発明は、ディスクカセットがカセットホルダに挿入・引き出し自在に構成されたディスクドライブ装置に関する。
【背景技術】
【０００２】
従来のディスクドライブ装置は、カセットガイドに検出スイッチの進入を許容する孔が設けられている（例えば、特許文献１参照。）。
【０００３】
図４には従来のディスクドライブ装置の要部斜視図が示されている。図４において、シャーシ３上には検出スイッチＳＷとカセットホルダ１０が配置されている。このカセットホルダ１０はシャーシ３に対して昇降自在に構成され、シャーシ３に対して離間するカセット挿入位置（上昇位置）とシャーシ３に対して近接するカセット装着位置（降下位置）との間を変位する。
【０００４】
カセットホルダ１０にはディスクカセットＤＫを挿入・引き出し自在なカセット収納室１９が構成され、このカセット収納室１９の入口で、且つ、シャーシ３側には左右一対のカセットガイド部２０ａ，２０ｂがそれぞれ設けられている。この一方のカセットガイド部２０ａには孔２１が形成され、この孔２１の下方に前記検出スイッチＳＷが位置している。
【０００５】
上記構成において、カセットホルダ１０がカセット挿入位置にあって、ディスクカセットＤＫをカセット収納室１９へ挿入すると、ディスクカセットＤＫの挿入先端が左右一対のカセットガイド部２０ａ，２０ｂに案内されることによって挿入方向等が多少ずれてもスムーズに挿入される。ディスクカセットＤＫが挿入完了位置まで挿入されると、カセットホルダ１０がカセット装着位置へと変位する。すると、このカセットホルダ１０の降下による相対的変位によって検出スイッチＳＷの検出ロッド９がカセットガイド部２０ａの孔２１より進入し、この検出スイッチＳＷによりディスクカセットＤＫの状態（カセットの有無、ライトプロテクトの可否等）が検出される。
【特許文献１】特開平１−２６０６６０号公報。
【発明の開示】
【発明が解決しようとする課題】
【０００６】
しかしながら、上記従来の構成において、ディスクカセットＤＫをカセット収納室１９に挿入するに際して、図５に示す如くディスクカセットＤＫの角部１ａを立てた状態で挿入すると、ディスクカセットＤＫの挿入先端の角部１ａがカセットガイド部２０ａの孔２１内に入り込む場合がある。すると、ディスクカセットＤＫの角部１ａが検出スイッチＳＷの検出ロッド９に衝突して検出スイッチＳＷを破壊するという事故が発生した。
【０００７】
そこで、本発明は、検出スイッチの破壊を防止したディスクドライブ装置を提供することを課題とする。
【課題を解決するための手段】
【０００８】
本発明のディスクドライブ装置は、シャーシ上に複数の検出スイッチとカセットホルダを配置し、上記カセットホルダにディスクカセットを挿入するカセット収納室を構成し、上記カセット収納室の入り口であってかつ前記シャーシ側に、カセット挿入側に向かうに従って前記シャーシに近づくテーパ状に形成されたテーパ部を有するカセットガイド部を設けたディスクドライブ装置であって、上記複数の検出スイッチのうち最もカセット挿入側の検出スイッチは、上記テーパ部の下方に位置するように配置されており、上記カセットガイド部は、上記複数の検出スイッチの侵入を許容する孔を有し、この孔の少なくとも前記テーパ部に対応する部分は前記ディスクカセットの角部が侵入できない幅となされていることを特徴とする。
【０００９】
本発明によれば、ディスクカセットの角部を立てた状態で挿入すると、カセットガイド部の孔の少なくともテーパ部に対応する部分は、前記ディスクカセットの角部が侵入できない幅となされていることによって孔にほとんど挿入されない。
【発明の効果】
【００１０】
本発明は、複数の検出スイッチのうち最もカセット挿入側の検出スイッチは、上記テーパ部の下方に位置するように配置されており、上記カセットガイド部は、上記複数の検出スイッチの侵入を許容する孔を有し、この孔の少なくとも前記テーパ部に対応する部分は前記ディスクカセットの角部が侵入できない幅となされているので、ディスクカセットの角部がカセットガイド部の孔にほとんど挿入されないため、検出スイッチの破壊を防止できるという効果がある。
【発明を実施するための最良の形態】
【００１１】
本発明を実施するための最良の形態について図面を用いて説明する。図１から図３は本発明の一実施例を示す。図１にはディスクドライブ装置の分解斜視図が示されている。図１において、ディスクドライブ装置に着脱自在なディスクカセットＤＫは、偏平方形状を有し、ケース１内部には記録媒体であるディスク（図示せず）が回転自在に収納されている。ディスクカセットＤＫの挿入前方側にはシャッタ２がＡ矢印方向にスライド自在に取り付けられ、このシャッタ２は閉位置側に図示しないバネによって付勢されている。
【００１２】
ディスクドライブ装置のシャーシ３は、メインシャーシ３ａとこの左右端側に配された一対の側板３ｂとから成る。メインシャーシ３ａには大きな孔４が形成され、この孔４内に偏平状のスピンドルモータ５が配置されている。又、メインシャーシ３ａ上にはヘッド機構６が取り付けられ、このヘッド機構６のヘッドキャリッジ７はＢ矢印方向にスライド自在に構成されている。ヘッドキャリッジ７には上下一対のヘッド素子８が設けられ、この一対のヘッド素子８と前記ディスクとの間で信号伝達が行われる。さらに、メインシャーシ３ａ上には２個の検出スイッチＳＷが取り付けられ、この各検出スイッチＳＷは検出ロッド９（図３（ａ），（ｂ）に示す。）が押下されるか否かによって動作する。この各検出スイッチＳＷは、ディスクカセットＤＫの有無・ライトプロテクトの可否をそれぞれ検出する。
【００１３】
カセットホルダ１０とスライド部材１１とは重ね合うようにしてメインシャーシ３ａの上方に配置されている。カセットホルダ１０の左右両側部の中央位置には一対の規制ピン１２がそれぞれ設けられ、この一対の規制ピン１２は前記一対の側板３ｂの垂直ガイド孔１３にそれぞれ挿入されている。従って、カセットホルダ１０は垂直ガイド孔１３によって垂直方向（Ｃ矢印方向）の移動のみ許容されている。スライド部材１１の左右両側部には規制ピン１４がそれぞれ設けられ、この各規制ピン１４は前記一対の側板３ｂの水平ガイド孔１５にそれぞれ挿入されている。従って、スライド部材１１は水平ガイド孔１５によって水平方向（Ｄ矢印方向）の移動のみ許容されている。
【００１４】
カセットホルダ１０の左右両側部の前後位置には一対のカムピン１６がそれぞれ設けられ、この各カムピン１６はスライド部材１１の傾斜カム孔１７にそれぞれ挿入されている。即ち、スライド部材１１のスライドによってカセットホルダ１０の昇降が制御され、カセットホルダ１０は図３（ａ）に示すカセット挿入位置と図３（ｂ）に示すカセット装着位置との間で変位する。又、カセットホルダ１０とスライド部材１１との間には一対の引張りコイルバネ１８が掛けられ、このバネ力によってスライド部材１１はカセット装着対応位置に付勢されている。
【００１５】
前記カセットホルダ１０は、上面部１０ａとこの両側で下方に垂下した一対の側面部１０ｂとこの下端で内側に入り込む一対の底縁部１０ｃ（図３（ａ），（ｂ）に示す。）とから成り、これらで囲まれた空間によってカセット収納室１９が構成されている。カセットホルダ１０がカセット挿入位置に位置する場合に、ディスクカセットＤＫをカセット収納室１９に挿入でき、又、カセット収納室１９からディスクカセットＤＫを引き出しできる。
【００１６】
又、カセットホルダ１０にはカセット収納室１９の入口で、且つ、メインシャーシ３ａ側には左右一対のカセットガイド部２０ａ，２０ｂがそれぞれ設けられている。この一対のカセットガイド部２０ａ，２０ｂのカセット挿入側は、先端に向かうに従って徐々に前記メインシャーシ３ａに近づく方向のテーパー状に構成されている。一方のカセットガイド部２０ａには孔２１が形成され、この孔２１の下方に前記検出スイッチＳＷが位置している。この孔２１のカセット挿入側には前記ディスクカセットＤＫの角部１ａの進入を阻止する進入阻止部２２が設けられ、この実施例では、進入阻止部２２は孔２１のカセツト挿入側を幅狭にすることによって構成されている。
【００１７】
尚、カセットホルダ１０にはカセット収納室１９の入口側の上面と左右側面にもカセットガイド部２０がそれぞれ設けられ、ディスクカセットＤＫがスムーズに挿入されるように構成されている。
【００１８】
スライダロック機構２３は、カセットホルダ１０に回転自在に支持されたトリガアーム２４を有し、このトリガアーム２４は図１のロック位置と図示しないロック解除位置との間で回転し、ねじりバネ２８のバネ力によってロック位置側に付勢されている。トリガアーム２４の一端側にはカセット収納室１９に入り込んだシャッタ開放部２５が設けられ、又、トリガアーム２４の他端側にはロック扇状部２６が設けられている。このロック扇状部２６の端面にはスライド部材１１のロック片部２７が係脱される。即ち、トリガアーム２４のロック位置ではスライド部材１１を引張りコイルバネ１８に抗してカセット挿入対向位置に保持することによってカセットホルダ１０をカセット挿入位置に位置させる。
【００１９】
上記構成において、カセットホルダ１０が図３（ａ）に示すカセット挿入位置にあって、ディスクカセットＤＫをカセット収納室１９へ挿入すると、ディスクカセットＤＫの挿入先端が左右一対のカセットガイド部２０ａ，２０ｂ等に案内されることによって挿入方向や挿入位置が多少ずれていても、スムーズに挿入される。ディスクカセットＤＫの挿入過程でシャッタ２がシャッタ開放部２５に押圧されることによって徐々に開放される。シャッタ２が全開され、且つ、ディスクカセットＤＫが挿入完了位置まで挿入されると、ロック扇状部２６の端面よりロック片部２７が外れ、スライド部材１１が一対の引張りコイルバネ１８のバネ力によってカセット装着対応位置側へ変位し、これによってカセットホルダ１０が図３（ｂ）に示すカセット装着位置へ変位する。
【００２０】
上記作用中において、図２に示す如く、ディスクカセットＤＫの角部１ａを立てた状態で挿入すると、ディスクカセットＤＫの角部１ａは進入阻止部２２に当接するためカセットガイド部２０ａの孔２１内にはほとんど挿入されない。従って、ディスクカセットＤＫの角部１ａが検出スイッチＳＷの検出ロッド９に衝突することがない。
【００２１】
尚、上記実施例では、カセットガイド部２０ａの進入阻止部２２を孔２１のカセット挿入側を幅狭にすることによって構成したが、ディスクカセットＤＫの角部１ａの進入を阻止できる形状であれば良い。また、一方のカセットガイド部２０ａにのみ進入阻止部２２を設けたが、左右両側のカセットガイド部２０ａ，２０ｂの下方に検出スイッチＳＷが配置される場合には両方のカセットガイド部２０ａ，２０ｂにそれぞれ進入阻止部２２を設ける。
【００２２】
尚、上記実施例では、シャーシ３に対してカセットホルダ１０が昇降する場合について示したが、シャーシ３に対してカセットホルダ１０が固定で、検出スイッチＳＷ等が昇降する装置にも同様に本発明を適用できる。
【図面の簡単な説明】
【００２３】
【図１】ディスクドライブ装置の分解斜視図（実施例）。
【図２】ディスクカセットの角部を立ててカセット収納室に挿入する状態を示す斜視図（実施例）。
【図３】（ａ）はカセット挿入位置に位置するディスクドライブ装置の要部側面図、（ｂ）はカセット装着位置に位置するディスクドライブ装置の要部側面図（実施例）。
【図４】ディスクドライブ装置の一部分解斜視図（従来例）。
【図５】ディスクカセットの角部を立ててカセット収納室に挿入する状態を示す斜視図（従来例）。
【符号の説明】
【００２４】
ＳＷ…検出スイッチ
ＤＫ…ディスクカセット
３…シャーシ
１０…カセットホルダ
１９…カセット収納室
２０ａ，２０ｂ…カセットガイド部
２１…孔
２２…進入阻止部
【図１】
0003666501.tif 000002
【図２】
0003666501.tif 000003
【図３】
0003666501.tif 000004
【図４】
0003666501.tif 000005
【図５】
0003666501.tif 000006